(57)【要約】【課題】実火災以外の火災検知による誤報を防止するとともに、そのために取外されたヘッド部の取付け忘れを防止し得る火災警報器を提供する。【解決手段】取付け面に固着されるベース部１０と、該ベース部に着脱自在に取付けられ、火災検知信号に基づいて火災を判別する火災感知部２２と、該火災感知部での火災の判別結果に応じて警報音を鳴動する警報部２３とが内蔵されたヘッド部とを備えた火災警報器１であって、前記ベース部は、前記ヘッド部の着脱状態を検知する着脱検知部１２と、前記ヘッド部が取外されたままであることを報知する警告音鳴動部１３と、前記着脱検知部においてヘッド部が取外されたことを検知した後、その状態が、予め設定された待機時間を経過したときには、警告音鳴動部より警告音を鳴動させる制御手段１１とを備えていることを特徴とする。【選択図】図１
2009075997.tif 000002
【特許請求の範囲】
【請求項１】
取付け面に固着されるベース部と、
該ベース部に着脱自在に取付けられ、火災検知信号に基づいて火災を判別する火災感知部と、該火災感知部での火災の判別結果に応じて警報音を鳴動する警報部とが内蔵されたヘッド部とを備えた火災警報器であって、
前記ベース部は、前記ヘッド部の着脱状態を検知する着脱検知部と、前記ヘッド部が取外されたままであることを報知する警告音鳴動部と、
前記着脱検知部においてヘッド部が取外されたことを検知した後、その状態が、予め設定された待機時間を経過したときには、前記警告音鳴動部より警告音を鳴動させる制御手段とを備えていることを特徴とする火災警報器。
【請求項２】
取付け面に固着されるベース部と、
該ベース部に着脱自在に取付けられ、火災検知信号に基づいて火災を判別する火災感知部と、該火災感知部での火災の判別結果に応じて警報音を鳴動する警報部とが内蔵されたヘッド部とを備えた火災警報器であって、
前記ヘッド部は、前記ベース部への着脱状態を検知する着脱検知部と、
前記ヘッド部が前記ベース部から取外されたことを前記着脱検知部が検知した後、その状態が、予め設定された待機時間を経過したときには、前記ヘッド部の前記警報部より前記ヘッド部が取外されたままであることを報知する制御手段とを備えていることを特徴とする火災警報器。
【請求項３】
請求項１又は請求項２において、
前記着脱検知部は、前記ヘッド部が前記ベース部から取外されたことを検知するタンパースイッチで構成されていることを特徴とする火災警報器。
【請求項４】
請求項２において、
前記ヘッド部に電池を備え、前記電池を前記警報部、前記着脱検知部及び前記制御手段の駆動電源としていることを特徴とする火災警報器。
【発明の詳細な説明】
【技術分野】
【０００１】
本発明は、天井面や壁面等の取付け面に固着されるベース部と、該ベース部に着脱自在に取付けられ、火災検知信号に基づいて火災を判別する火災感知部と、該火災感知部での火災の判別結果に応じて警報音を鳴動する警報部とが内蔵されたヘッド部とを備え、煙や熱等を検知して、火災警報を行う火災警報器の改良に関する。
【背景技術】
【０００２】
従来より、取付け面に固着され、煙や熱等を検知して鳴動音や音声メッセージで火災警報を行う火災警報器が知られている。
このような火災警報器は、一般オフィスビルや公共スペース等に取付けられ、近年は法整備の背景もあって、商用ＡＣ電源やリチウム電池等の電池を駆動電源とした一般戸建て住宅や集合住宅の各戸等向けに開発された火災警報器の普及が進んでいる。
【０００３】
上記火災警報器は、煙を検知するタイプの場合、煙流入孔を形成した煙感知室に内装された煙検知手段が、煙を検知すると、その火災検知信号に基づいて、制御手段で火災を判別し、該制御手段での判別結果に応じて、警報音を鳴動する構成とされている。
上記煙感知室に内装された煙検知手段は、受光部と発光部とを有し、該発光部から定期的に発光される光が、煙流入孔から流入してきた煙によって散乱し、この散乱光が前記受光部によって受光されることで、煙を検知している。
しかしながら、例えば、家人がタバコを吸ったり、害虫駆除用の燻煙を焚いたりすると、実火災による煙とは異なる非火災煙を検知し、誤報を報じてしまうという問題があった。このような誤報がなされると騒音となり、近隣住人に必要のない不安感を与えてしまうことになる。
【０００４】
下記特許文献１では、上記のような問題を解決するため、以下の構成とした警報器が提案されている。
特許文献１には、スイッチの引き紐を引きっぱなしにする等、警報停止スイッチによる所定の警報停止操作を判別して警報音の出力を停止して、警報停止中に警報停止状態にあることを報知し、更に警報停止から所定時間経過後に警報停止状態を解除し、そのとき警報信号が継続していれば再度警報出力させる警報停止制御部を設けたものが開示されている。
これによれば、所定の警報停止操作を行えば、警報を簡単に停止させることができ、警報停止から一定時間が経過すると警報停止状態が強制的に解除されるため、無監視状態となることを防ぐことができるとされている。
【特許文献１】特開２００５−２０８９５７号公報
【発明の開示】
【発明が解決しようとする課題】
【０００５】
しかしながら、上記特許文献１に記載の警報器では、利用者が警報器のベース部から火災検知部や警報部が内蔵されたヘッド部を取外して誤報を防ごうとした場合については、何ら考慮されていないものであった。
火災警報器において、ベース部に着脱自在に取付けられたヘッド部を一般の人でも容易に着脱できる構造となっているものの場合、誤報を防ぐため、家人がタバコを吸ったり、害虫駆除用の燻煙を焚いたりする間だけ、ヘッド部をベース部から取外しておくということがなされることがある。
こうしておけば、火災警報器の誤報を防ぐことができるが、そのまま再度ヘッド部をベース部に取付けることを忘れて放置し、無監視状態となり、火災警報器が有する本来の機能を、実火災時に発揮できない恐れがある。
【０００６】
本発明は、前記問題を解決するために提案されたもので、その目的は、実火災以外の火災検知による誤報を防止するとともに、そのために取外されたヘッド部の取付け忘れを防止し得る火災警報器を提供することにある。
【課題を解決するための手段】
【０００７】
前記目的を達成するために、本発明に係る請求項１に記載の火災警報器は、取付け面に固着されるベース部と、該ベース部に着脱自在に取付けられ、火災検知信号に基づいて火災を判別する火災感知部と、該火災感知部での火災の判別結果に応じて警報音を鳴動する警報部とが内蔵されたヘッド部とを備えたものであって、前記ベース部は、前記ヘッド部の着脱状態を検知する着脱検知部と、前記ヘッド部が取外されたままであることを報知する警告音鳴動部と、前記着脱検知部においてヘッド部が取外されたことを検知した後、その状態が、予め設定された待機時間を経過したときには、前記警告音鳴動部より警告音を鳴動させる制御手段とを備えていることを特徴とする。
【０００８】
本発明に係る請求項２に記載の火災警報器は、取付け面に固着されるベース部と、該ベース部に着脱自在に取付けられ、火災検知信号に基づいて火災を判別する火災感知部と、該火災感知部での火災の判別結果に応じて警報音を鳴動する警報部とが内蔵されたヘッド部とを備えたものであって、前記ヘッド部は、前記ベース部への着脱状態を検知する着脱検知部と、前記ヘッド部が前記ベース部から取外されたことを前記着脱検知部が検知した後、その状態が、予め設定された待機時間を経過したときには、前記ヘッド部の前記警報部より前記ヘッド部が取外されたままであることを報知する制御手段とを備えていることを特徴とする。
【０００９】
請求項３は、請求項１又は請求項２において、前記着脱検知部は、前記ヘッド部が前記ベース部から取外されたことを検知するタンパースイッチで構成されている。
請求項４は、請求項２において、ヘッド部に電池を備え、前記電池を前記警報部、前記着脱検知部及び前記制御手段の駆動電源としている。
【発明の効果】
【００１０】
請求項１に記載の本発明によれば、ヘッド部が取外され、放置されたままである場合は、警告音鳴動部より警告音が出力されるので、ヘッド部の取付けを家人等に促すことができる。
また着脱検知部においてヘッド部が取外されたことを検知した後、その状態が、予め設定された待機時間を経過したときには、前記警告音鳴動部より警告音を鳴動させる制御手段とを備えているので、ヘッド部が取外されて放置されたままになることを防ぐとともに、無監視状態が続くことを防ぐことができる。よって、喫煙の際や害虫駆除燻煙を焚く際等、非火災煙が発生してしまう場合でも、ヘッド部を取外して誤報を防ぐことができ、近隣住人等に必要のない不安感を与えてしまうことがない。
更に警告音は、天井や壁等の取付け面に固着されているベース部の警告音鳴動部よりなされるので、どこに設置された火災警報器のヘッド部が取外されたままなのか、すぐに特定することができる。
【００１１】
請求項２に記載の本発明によれば、ヘッド部は、火災感知部での火災の判別結果に応じて警報音を鳴動する警報部と、ベース部への着脱状態を検知する着脱検知部とを備えているので、ヘッド部が取外され放置されたままである場合は、警告音が出力され、ヘッド部の取付けを家人等に促すことができる。
またヘッド部がベース部から取外されたことを着脱検知部が検知した後、その状態が、予め設定された待機時間を経過したときには、前記ヘッド部の前記警報部より警告音を報知する制御手段とを備えているので、ヘッド部が取外されて放置されたままとなることを防ぐとともに、無監視状態が続くことを防ぐことができる。よって、喫煙の際や害虫駆除燻煙を焚く際等、非火災煙を発生させる際に、ヘッド部を取外して誤報を防ぐことができ、近隣住人等に必要のない不安感を与えてしまうことがない。
更に警告音は、ヘッド部に設けられた実火災時に警報音を鳴動させる警報部よりなされ、警告音を鳴動させるスピーカと警報音を鳴動させるスピーカとを共用することができるので、新たに警告音用のスピーカを設ける必要がなく、大型化、複雑化することがない。よって、コストの低減を図ることができる。そして取外されたヘッド部から警告音が鳴動するので、例えばヘッド部がベース部から取外され、ヘッド部のみ持ち運ばれても、取外されたヘッド部を認識することができ、取外されたヘッド部を紛失してしまうことを防ぐことができる。
【００１２】
請求項３に記載の本発明によれば、着脱検知部にタンパースイッチを用いることで、比較的低コストで且つ小型な構成でヘッド部の着脱を検知することができる。
請求項４に記載の本発明によれば、ヘッド部に備えた電池を前記警報部、前記着脱検知部及び前記制御手段の駆動電源としているので、簡易な構成で電力供給を受けることができ、コストの低減を図ることができる。
【発明を実施するための最良の形態】
【００１３】
以下に、本発明の最良の実施の形態について、図面を参照しながら説明する。
図１は、第１実施形態に係る火災警報器の概略斜視図であり、ベース部からヘッド部を取外した状態を示している。図２は本実施形態に係る火災警報器の内部構成を示すブロック図、図３（ａ）（ｂ）は、本実施形態に係る火災警報器の駆動電源の構成を示したブロック図、図４は、本実施形態に係る火災警報器の基本動作の一例を示すフローチャートである。
尚、以下の説明では、光電式で煙を検知して実火災を判別する火災警報器に関し、実火災を報知する鳴動音を警報音とし、ヘッド部が取外されていることを報知する鳴動音を警告音として説明する。
【００１４】
まず、火災警報器１の概略構成を図１、図２に基づいて説明する。
図例の火災警報器１は、住宅などの天井面（取付け面）に取付けられる円板状のベース部１０と、ベース部１０に着脱自在に取付けられ（白抜矢印方向）、煙感知室を構成するヘッド部２０とを備えている。
ベース部１０は、後記する各部を制御するＭＰＵ１１、ヘッド部２０の着脱状態を検知する着脱検知部１２、ヘッド部２０が取外されたままであることを報知し、スピーカＳＰを有した警告音鳴動部１３、制御プログラムなどを格納するメモリ１４、警告音を停止する警告音停止スイッチＳＷ、電子部品を実装した回路基板（不図示）を備えており、ＭＰＵ１１には、ヘッド部２０の取外しを検知してから警告音を報知するまで、予め設定された待機時間を計測するタイマ１１ａを有している。
ＭＰＵ１１は、各部を制御する制御手段を構成し、後記するように、着脱検知部１２においてヘッド部２０が取外されたことを検知した後、その状態が、予め設定された待機時間を経過したときには、ヘッド部２０の取付けを促す警告音鳴動部１３のスピーカＳＰより警告音を鳴動させる。
【００１５】
ヘッド部２０は、各部を制御するＭＰＵ２１、煙検知センサ（不図示）からの煙検知信号に基づいて、火災を判別する火災感知部２２、火災感知部２２での火災の判別結果に応じて警報音を鳴動する警報部２３、制御プログラムなどを格納するメモリ２４、警報音を停止する警報音停止スイッチＳＷ、電子部品を実装した回路基板（不図示）を備えている。
ＭＰＵ２１による火災の判別の方法は、特に限定されるものではないが、ここでは煙検知信号が予め設定された閾値を超えているか否かを判別して、火災警報を鳴動させるようにしている。
【００１６】
タンパースイッチ１０ｃは、ベース部１０の内面の一部に形成された切欠部１０ｃｂに設けられており、スプリング（不図示）によって支持された接点作動部１０ｃａが突出した状態に構成されている。よって、接点作動部１０ｃａに押圧が加わり、接点作動部１０ｃａが押下げられ、接点が閉じられると、ヘッド部２０が装着されていることを検知するようになっている。そしてヘッド部２０がベース部１０から取外されると、接点作動部１０ｃａの押下げが解除され、スプリングの弾性力によって接点作動部１０ｃａが突出し、接点が開くことで、ヘッド部２０の取外しを検知するようになっている。
ここで、着脱検知部１２は、本実施形態のようにタンパースイッチ１０ｃではなく、取付け有無が検知可能なものであればどのようなものでもよく、例えば、光学センサ、赤外線センサ、磁気センサなどを用いて、取付け有無を検知するものであってもよい。
【００１７】
ベース部１０は２箇所設けられたビス孔１０ａによって、天井面に固着されており、４箇所に設けられた係止部１０ｂとヘッド部２０に設けられた爪部２０ｅとが係合してベース部１０にヘッド部２０が着脱自在可能な構造としている。またベース部１０には、スピーカ孔１０ｅが形成されており、ここより警告音鳴動部１３による警告音が鳴動するよう構成されている。
ヘッド部２０には、煙検知センサ（不図示）、警報部２３、火災感知部２２等が内蔵されており、煙検知センサは、発光ダイオード等の発光部と、フォトダイオード等の受光部とで構成されたいわゆる光電式センサであって、ヘッド部２０へ向けて回路基板から突設され、煙流入孔２０ｄから流入した煙を検知して、煙検知信号を出力する。
尚、煙検知センサによる煙の検知は、例えば、発光部からの光を直接、受光しない位置に受光部を配置し、煙の流入により発生する散乱光を受光部で受光することで検知するようにしてもよい。また、煙検知手段としては、煙の検知が可能なものであればよく、例えば、光電式センサではなくイオン化式センサであってもよい。
【００１８】
ヘッド部２０の外表面部には、警報音停止スイッチＳＷ及び警告音停止ＳＷを操作するための操作ボタン（不図示）が構成されるとともに、ヘッド部２０の外周面からは、同様に警報音停止スイッチＳＷ及び警告音停止ＳＷを操作するための引き紐２０ａが延出されており、操作ボタン、引き紐２０ａのいずれの操作によっても警報音及び警告音を停止できるようになっている。
【００１９】
ヘッド部２０は、煙検知センサを受入れる空間を有し、室内スペース側に底部２０ｃを有した円筒状体で、その側周面には、煙を取込むための複数の煙流入孔２０ｄが開設されている。
ヘッド部２０の底部２０ｃの内面側には、円板状のスピーカＳＰが配設され、底部２０ｃには、複数のスピーカ用孔（不図示）が開設されている。
尚、ヘッド部２０の煙流入孔２０ｄからの虫や埃等の侵入を防止する防虫カバーなどをヘッド部２０に更に備えたものとしてもよい。
【００２０】
次に、図３（ａ）（ｂ）に基づいて、火災警報器１の駆動電源の構成を説明する。
図３（ａ）に示す例は、駆動電源を商用ＡＣ電源から供給している例であり、ベース部１０に備えたＭＰＵ１１、タイマ１１ａ、着脱検知部１２、警告音鳴動部１３が、ＡＣ電源からの供給により駆動するよう構成されている。そしてベース部１０にヘッド部２０が取付けられることにより、ヘッド部２０のＭＰＵ２１、火災感知部２２、警報部２３が同じＡＣ電源からの供給により駆動するよう電気的に接続されている。
図３（ｂ）に示す例は、ベース部１０に備えたＭＰＵ１１、タイマ１１ａ、着脱検知部１２、警告音鳴動部１３が、電池Ｂ１からの供給により駆動するよう構成されており、ヘッド部２０のＭＰＵ２１、火災感知部２２、警報部２３が同じ電池Ｂ１からの供給により駆動するよう電気的に接続されている。
ここで、電力供給の構成については、上述の例に限定されるものではなく、例えば、ベース部１０とヘッド部２０との夫々に電池を備えたものとしてもよい。電池としては、長寿命なリチウム電池等を用いることができる。
【００２１】
次に、前記構成とされた火災警報器１における基本動作の一例を図４に基づいて説明する。
ヘッド部２０の取外しが有と検知がなされていない状態、すなわちヘッド部２０が取外されていないと検知すると、煙検知センサによる煙の検知が可能な監視状態が継続される（Ｓ１００）。
この監視状態では、煙検知センサからの煙検知信号に基づいて火災の判別を行い、火災と判別すると、火災警報を警報部２３のスピーカＳＰから鳴動させる。上記火災警報は、例えば、ブザー音を鳴動させるようにしてもよいし、「ビュー、ビュー、火事です。」といった音声メッセージを鳴動するようにしてもよい。ここで、警報音と同時に警報用ＬＥＤ（不図示）を点灯または点滅させるようにしてもよい。
【００２２】
ヘッド部２０がベース部１０から取外されることにより、タンパースイッチ１０ｃが解除され、着脱検知部１２がヘッド部２０の取外し有を検知すると、タイマ１１ａが起動して計時を開始する（Ｓ１００，Ｓ１０１）。
タイマ１１を起動し、予め設定された待機時間が経過すると、警告音鳴動部１３が作動し、ヘッド部２０の取付けを促すための取付要求信号を出力させる（Ｓ１０２，Ｓ１０４）。すなわち、ヘッド部２０が取外されて、ヘッド部２０取外し有を検知した後、その状態が、予め設定された待機時間経過後も継続しているときには、警告音鳴動部１３のスピーカＳＰからブザー音を鳴動、あるいは、「ヘッド部を取付けて下さい。」などの音声メッセージを鳴動させる。ここで、警告音と同時に警告用ＬＥＤ（不図示）を点灯または点滅させるようにしてもよい。
タイマ１１ａが待機時間計時中に、ヘッド部２０が戻されたことを着脱検知部１２が検知すると、警告音を停止し、タイマ１１ａがリセットされ、通常の監視状態に復帰する（Ｓ１０３，Ｓ１０７，Ｓ１００）。
また、警告音鳴動中にヘッド部２０が戻された（再度取付けられた）ことを着脱検知部１２が検知すると、警告音が停止され、タイマ１１ａをリセットし、監視状態に復帰する（Ｓ１０４，Ｓ１０５，Ｓ１０６，Ｓ１０７，Ｓ１００）。
【００２３】
ここで待機時間は、数分単位としてもよいし、害虫駆除用の燻煙時間（例えば２時間程度）としてもよい。また１時間おきに３分間程度鳴動させるものとしてもよい。
よってこれによれば、ヘッド部２０の取付けを確実に促すことができる。
また、ヘッド部２０の取付けがなされれば、操作ボタンや引き紐２０ａによる操作がなくても、直ちに取付要求信号の出力が停止され、警告音が停止される。
上記動作例では、ヘッド部２０の取付けがなされるまで、警告音が鳴動され続けるようにしているが、例えば、所定時間鳴動させた後に停止させたり、警告音停止スイッチＳＷの操作がなされることにより停止させたりしてもよい。また、所定時間出力した後に、時間を置いて繰り返し出力させるような、いわゆるスヌーズ鳴動をさせるようにしてもよい。更に警告音と警報音とを区別しやすいように音量で区別したり、音色で区別するものとしてもよい。
【００２４】
以上のように、本実施形態に係る火災警報器１によれば、ヘッド部２０が取外したままである場合は、警告音が出力され、ヘッド部２０の取付けを家人等に促すことができ、ヘッド部２０が取外されてままとなることを防ぐとともに、無監視状態が続くことを防ぐことができる。よって、喫煙の際や害虫駆除燻煙を焚く際等、非火災煙を発生させる際に、ヘッド部を取外して誤報を防ぐことができ、近隣住人等に必要のない不安感を与えてしまうことがない。
更に警告音は、天井や壁等の取付け面に固着されているベース部１０の警告音鳴動部１３のスピーカＳＰよりなされるので、どこに設置された火災警報器１のヘッド部２０が取外されたままなのか、すぐに特定することができる。
【００２５】
次に、本発明に係る他の実施の形態について、図面を参照しながら説明する。
図５乃至図７は、第２実施形態に係る火災警報器を示し、図５は本発明に係る火災警報器の他の実施形態の一例を示す概略斜視図であり、ベース部からヘッド部を取外した状態を示している。図６は、火災警報器の内部構成を示すブロック図であり、図７（ａ）、（ｂ）は、同火災警報器の駆動電源の構成を示したブロック図である。
尚、第１実施形態との相違点を中心に説明し、第１実施形態と同様の構成については、同一符号を付し、説明を省略する。
【００２６】
第２実施形態に示す火災警報器１は、第１実施形態においてはベース部１０に備えている着脱検知部１２（タンパースイッチ１０ｃ）がヘッド部２０に設けられている点で相違する。よって動作例においては本実施形態において着脱検知部２５がヘッド部２０に設けられているため、警告音が警報部２３から鳴動し、ＭＰＵ２１によって各部が制御される点は異なるが、一連の流れは共通であるため、説明を割愛する。
タンパースイッチ２０ｇの構成は第１実施形態と同様であり、図中２０ｇａは接点作動部、２０ｇｂは切欠部である。よってタンパースイッチ２０ｇはヘッド部の内面の一部に形成された切欠部２０ｇｂに埋め込まれており、ベース部１０に取付けられる際にベース部１０の端面１０ｄによって押圧が加わることによって接点作動部１０ｃａが押下げられ、ベース部１０からヘッド部２０が取外されてベース部１０による押圧が解除されると接点作動部２０ｇａが弾性付勢によって図５に示すように凸状態に復帰するよう構成されている。
【００２７】
ヘッド部２０は、各部を制御するＭＰＵ２１、煙検知センサ（不図示）からの煙検知信号に基づいて、火災を判別する火災感知部２２、火災感知部２２での火災の判別結果に応じて警報音及びヘッド部２０が取外されたままであることを報知する警報部２３、制御プログラムなどを格納するメモリ２４、ヘッド部２０の着脱状態を検知する着脱検知部２５、警報音及び警告音を停止する警報音・警告音停止スイッチＳＷを備えている。
ヘッド部２０のＭＰＵ２１には、ヘッド部２０の取外しを検知してから警告音を報知するまで、予め設定された待機時間を計測するタイマ２１ａが構成されている。
ＭＰＵ２１は、各部を制御する制御手段を構成し、着脱検知部２５においてヘッド部ベース部１０から取外されたことを着脱検知部２５が検知した後、その状態が、予め設定された待機時間を経過したときには、ヘッド部２０の警報部２３よりヘッド部２０が取外されたままであることを報知する。
【００２８】
これによれば、ヘッド部２０が取外されて放置されたままとなることを防ぐとともに、無監視状態が続くことを防ぐことができる他、警告音は、ヘッド部に設けられた実火災時に警報音を鳴動させる警報部２３よりなされ、警告音を鳴動させるスピーカＳＰと警報音を鳴動させるスピーカＳＰとを共用することができるので、新たに警告音用のスピーカＳＰを設ける必要がなく、大型化、複雑化することがない。よって、コストの低減を図ることができる。そして取外されたヘッド部２０から警告音が鳴動するので、例えばヘッド部２０がベース部１０から取外され、ヘッド部２０のみ持ち運ばれても、取外されたヘッド部２０を認識することができ、取外されたヘッド部２０を紛失しにくいものとできる。
【００２９】
次に、図７（ａ）（ｂ）に基づいて、第２実施形態に係る火災警報器１の駆動電源の構成を説明する。
図７（ａ）に示す例は、ヘッド部２０がベース部１０に取付けられている監視状態においては、ベース部１０を介してヘッド部２０のＭＰＵ２１、火災感知部２２、警報部２３がＡＣ電源からの供給により駆動するよう電気的に接続されている例であり、ヘッド部２０が取外された際には、着脱検知部２５、警報部２３、ＭＰＵ２１が駆動するよう、その駆動電源として、ヘッド部２０に電池Ｂ２を備えている。
図７（ｂ）に示す例は、上記監視状態においては、ベース部１０に備えた電池Ｂ１からの供給により、ヘッド部２０のＭＰＵ２１、火災感知部２２、警報部２３を駆動するよう構成されており、ヘッド部２０が取外された際には、着脱検知部２５、警報部２３、ＭＰＵ２１を駆動するよう、その駆動電源として、ヘッド部２０に電池Ｂ２を備えている。
ここで、電力供給の構成については、上述の例に限定されるものではなく、要はヘッド部２０がベース部１０から取外されても、着脱検知部２５等が駆動する構成であればよい。電池としては、長寿命なリチウム電池等を用いることができる。
【００３０】
尚、ここでは天井面に設置された火災警報器について図示、説明しているが、これに限定されるものではなく、例えば壁に取付けられる火災警報器にも適用可能である点はいうまでもない。またここでは、煙を検知する光電式の火災警報器を例に説明するが、これに限定されるものではなく、サーミスタ等の温度センサを設けた熱検知式の火災警報器、熱、煙検知併用の火災警報器にも適用可能である。更に火災警報器１の形状、内部構成等は上述の例に限定されるものはなく、各実施形態では、一般戸建て住宅などに単体で使用される住宅用火災警報器について説明したが、複数の火災警報器を信号線等で接続した火災警報システムに適用することも可能である。
【図面の簡単な説明】
【００３１】
【図１】本発明に係る火災警報器の実施形態の一例を示す概略斜視図であり、ベース部からヘッド部を取外した状態を示している。
【図２】同実施形態に係る火災警報器の内部構成を示すブロック図である。
【図３】（ａ）（ｂ）は、同本実施形態に係る火災警報器の駆動電源の構成を示したブロック図である。
【図４】同実施形態に係る火災警報器の基本動作の一例を示すフローチャートである。
【図５】本発明に係る火災警報器の他の実施形態の一例を示す概略斜視図であり、ベース部からヘッド部を取外した状態を示している。
【図６】同実施形態の内部構成を示すブロック図である。
【図７】（ａ）（ｂ）は、同実施形態に係る火災警報器の駆動電源の構成を示したブロック図である。
【符号の説明】
【００３２】
１      火災警報器
１０    ベース部
１１    ＭＰＵ（制御手段）
１２    着脱検知部
１３    警告音鳴動部
２０    ヘッド部
２１    ＭＰＵ（制御手段）
２２    火災感知部
２３    警報部
２５    着脱検知部
【図１】
2009075997.tif 000003
【図２】
2009075997.tif 000004
【図３】
2009075997.tif 000005
【図４】
2009075997.tif 000006
【図５】
2009075997.tif 000007
【図６】
2009075997.tif 000008
【図７】
2009075997.tif 000009